(57)【要約】      （修正有）【課題】気温が高い時でも、家畜の食欲を落とさずに飼育する放牧ユニットと牧場と放牧方法を提供する。【解決手段】水を供給する飲料水供給管１１と、上記水を受取る飲料水受取管１２と、上記飲料水供給管１１に上記水を提供し、上記飲料水受取管１２より上記水を受取る第１ポンプ部２１を有する供給装置１９と、を含む放牧ユニットを用いる。上記放牧ユニットで囲まれた牧場を用いる。水を第１ポンプ２１で飲料水供給管１１へ供給する工程と、家畜が上記飲料水供給管１１から上記水を飲む工程と、残りの上記水を飲料水受取管１２で受取る工程と、上記受取られた水を、上記第１ポンプ２１で上記飲料水供給管１１へ供給する工程と、を含み、上記水を循環させて、上記家畜へ上記水を供給する放牧方法を用いる。【選択図】図１
2019180388.tif 000002
【特許請求の範囲】
【請求項１】
水を供給する飲料水供給管と、
前記水を受取る飲料水受取管と、
前記飲料水供給管に前記水を提供し、前記飲料水受取管より前記水を受取る第１ポンプ部を有する供給装置と、を含む放牧ユニット。
【請求項２】
さらに、第１柵を有する請求項１の放牧ユニット。
【請求項３】
前記水の温度を調整できる温度調整部がある請求項１または２記載の放牧ユニット。
【請求項４】
前記放牧ユニットに太陽光パネルが配置され、家畜が休む日陰を形成する請求項１〜３のいずれか１項に記載の放牧ユニット。
【請求項５】
前記放牧ユニットに、水または肥料を流す肥料水供給管が位置する請求項１〜４のいずれか１項に記載の放牧ユニット。
【請求項６】
前記肥料水供給管には、前記水または肥料を散布する散布口がある請求項５に記載の放牧ユニット。
【請求項７】
請求項１〜６のいずれか１項に記載の放牧ユニットで囲まれた牧場。
【請求項８】
請求項７の牧場で、家畜を放牧する放牧方法であり、
前記供給装置の位置を変えず、前記第１柵の位置を変えて、前記牧場の位置を、一定期間ごとに変える放牧方法。
【請求項９】
水を第１ポンプで飲料水供給管へ供給する工程と、
家畜が前記飲料水供給管から前記水を飲む工程と、
残りの前記水を飲料水受取管で受取る工程と、
前記受取られた水を、前記第１ポンプで前記飲料水供給管へ供給する工程と、を含み、前記水を循環させて、前記家畜へ前記水を供給する放牧方法。
【請求項１０】
水または肥料を第２ポンプで肥料水供給管へ供給する工程と、
前記肥料水供給管から牧草へ、前記水、または、肥料を散布する工程と、を有する請求項９に記載の放牧方法。
【発明の詳細な説明】
【技術分野】
【０００１】  本発明は、放牧ユニットと牧場と放牧方法とに関する。
【背景技術】
【０００２】  従来の家畜の飼育方法として、特許文献１、２があった。これらでは、穀物に工夫するものであった。
【先行技術文献】
【特許文献】
【０００３】
【特許文献１】特開２０１７−１６３９８３号公報
【特許文献２】特開２０１６−１３１１６号公報
【発明の概要】
【発明が解決しようとする課題】
【０００４】  しかしながら、夏など気温が高い場合、家畜は食欲がでない。特に、牧場で家畜を放牧させる時には、家畜は、暑さで食欲がでず、成長が悪い。
本発明は、上記従来の課題を解決するもので、気温が高い時でも、家畜の食欲を落とさずに飼育する放牧ユニットと牧場と放牧方法を提供することを課題とする。
【課題を解決するための手段】
【０００５】  前記従来の課題を解決するために、水を供給する飲料水供給管と、上記水を受取る飲料水受取管と、上記飲料水供給管に上記水を提供し、上記飲料水受取管より上記水を受取る第１ポンプ部を有する供給装置と、を含む放牧ユニットを用いる。【０００６】  また、上記放牧ユニットで囲まれた牧場を用いる。【０００７】  また、水を第１ポンプで飲料水供給管へ供給する工程と、家畜が上記飲料水供給管から上記水を飲む工程と、残りの上記水を飲料水受取管で受取る工程と、上記受取られた水を、上記第１ポンプで上記飲料水供給管へ供給する工程と、を含み、上記水を循環させて、上記家畜へ上記水を供給する放牧方法を用いる。
【発明の効果】
【０００８】  本発明の家畜の飼育方法、牧場では、家畜の食欲を下げずに飼育できる放牧ユニット、牧場、および、放牧方法を提供できる。
【図面の簡単な説明】
【０００９】
【図１】実施の形態１の第２柵と供給装置の斜視図
【図２】実施の形態１の第１柵の斜視図
【図３】実施の形態１の牧場の平面図
【図４】実施の形態１の開口管を示す側面図
【図５】実施の形態１の第１柵の斜視図
【図６】実施の形態２の第２柵、供給装置、第１柵と太陽光パネルとを組み合わせたものを示す斜視図
【図７】実施の形態２の第１柵と太陽光パネルとを組み合わせたものを示す斜視図
【図８】実施の形態２の太陽光パネルの配置を示す平面図
【図９】実施の形態２の太陽光パネルの配置を示す断面図
【発明を実施するための形態】
【００１０】  以下本発明の実施の形態について、図面を参照しながら説明する。なお、この実施の形態によって本発明が限定されるものではない。
（実施の形態１）
図１〜図４で実施の形態１を説明する。図１は、放牧ユニット１０１の斜視図である。放牧ユニット１０１には、家畜の飼育ための第２柵１８ａと供給装置１９とがある。図２は、放牧ユニット１０１に、追加可能な第１柵１８ｂの斜視図である。図３は、実施の形態１の牧場１００の平面図である。
【００１１】  図３に示すように、家畜３１を放牧する放牧場５２は、放牧ユニット１０１（第２柵１８ａと供給装置１９と第１柵１８ｂ）で囲まれる。供給装置１９は、離れた別の場所でもよい。家畜３１は、牛、馬、羊などであるが、その他、ブタ、犬などでもよい。
第２柵１８ａは、放牧場５２を囲むだけでなく、水、肥料などを輸送するものである。肥料は、水などに溶かされたものや液体の必要など、液体状態のものである。
【００１２】  供給装置１９は、第２柵１８ａに水、肥料などを供給するものである。
第１柵１８ｂは、放牧場５２を囲むものである。もし、水道施設、河川などがあれば、供給装置１９として、それらを利用できる。
＜第１柵１８ｂ＞
放牧ユニット１０１にさらに、第１柵１８ｂを加えることができる。第１柵１８ｂは、家畜３１を放牧場５２から出さない柵である。木、金属パイプなどが骨組み３０として、組み合わせされている。また、木とロープ、木と金属線などでもよい。第１柵１８ｂは、下部に杭４０を有し、地面に杭４０を刺すことで、第１柵１８ｂは、独立して設置される。水、肥料などを供給する飲料水供給管１１〜肥料水受取管１４などを有してもよい。飲料水供給管１１〜肥料水受取管１４などを有さず、単なる家畜を閉じ込める柵でもよい。
【００１３】  ＜第２柵１８ａ＞
第２柵１８ａは、上記第１柵１８ｂの役割をもち、さらに、水や肥料を運搬する役割をもつ。骨組み３０、杭４０は上記と同様である。飲料水供給管１１は、略水平に配置される。ただし、水を流しやすいように、傾斜させてもよい。三角柱を寝かせた形状であるが、直方体の壁のような形状でもよい。第１柵１８ｂも同様の形状である。
【００１４】  第２柵１８ａは、飲料水供給管１１、飲料水受取管１２、肥料水供給管１３、肥料水受取管１４、循環部４０ａを有する。これらにより、水を循環できる。飲料水供給管１１は、飲料水受取管１２より上方にあり、肥料水供給管１３は、肥料水受取管１４より上方にあるのが好ましい。重力で水が流れやすい。
飲料水供給管１１は、供給装置１９より水を受け取り、流す。飲料水供給管１１は、筒を半分で割った溝のような構造である。飲料水供給管１１は、循環部４０ａへ水を渡す。水は、家畜３１が飲む水である。飲料水供給管１１、または、飲料水受取管１２には、開口３８を有する。開口３８から家畜３１は水を飲む。飲料水供給管１１の開口３８以外は蓋３３がある。また、開口３８の部分に貯め部３１ａがあると好ましい。貯め部３１ａは、凹部であり、水を貯める。貯め部３１ａ、開口３８は、飲料水受取管１２にあってもよい。家畜３１は、水を飲みやすい。水が流れる通路のいずれかに、ゴミを除くフィルター３４があると好ましい。
なお、開口３８を有する開口管１５を用いてもよい。つまり、図４に示すように、複数の飲料水供給管１１間に開口管１５を設けてもよい。さらに、複数の飲料水受取管１２間、または、飲料水供給管１１と飲料水受取管１２との間に、開口管１５を設けてもよい。
【００１５】  循環部４０ａは、飲料水供給管１１から水を受け取り、飲料水受取管１２へ渡す。垂直方向に略平行に配置される。
飲料水受取管１２は、循環部４０ａからの水を供給装置１９へ渡す。
【００１６】  肥料水供給管１３は、水平方向に位置する。肥料水供給管１３は、供給装置１９から、水または肥料などを受け取り、放出口３９より牧草３２へ噴霧する。牧草３２を成長させるためである。あまった水または肥料は、肥料水受取管１４へ送る、なお、夏の暑い時には、放出口３９より水を家畜３１へ噴霧してもよい。
肥料水受取管１４は、水平方向に位置する。肥料水受取管１４は、肥料水供給管１３から、水または肥料を受け取り、供給装置１９へ戻す。なお、肥料水受取管１４はない場合がある。水または肥料を循環させない場合である。
【００１７】  循環部４０ａは、垂直方向にあり、飲料水供給管１１と飲料水受取管１２とを連結するつなぎ目である。飲料水供給管１１からの水を、飲料水受取管１２へ送る。
循環部４０ｂは、垂直方向になり、肥料水供給管１３と肥料水受取管１４とを連結するつなぎ目である。肥料水供給管１３からの水、または肥料を、肥料水受取管１４へ送る。
【００１８】  なお、循環部４０ａ、４０ｂを無くし、２つの管を直接つないでもよい。
飲料水供給管１１は、飲料水受取管１２おり上部にあることが好ましい。肥料水供給管１３は、肥料水受取管１４より上部にあるのが好ましい。水、または、肥料が流れやすい。飲料水供給管１１は、肥料水供給管１３より下部に位置するのが好ましい。これは、飲料水供給管１１から、家畜３１は水の飲むため、また、肥料水供給管１３の放出口３９から水、または、肥料を牧草３２へ散布するためである。
＜供給装置１９＞
供給装置１９は、第１ポンプ部２１、第２ポンプ部２２、２次電池６３、第１貯蔵部６１、第２貯蔵部６２と、を有する。
【００１９】  第１ポンプ部２１は、飲料水供給管１１に水を送り、飲料水受取管１２から水を受け取る。水を循環させる。第１貯蔵部６１から水は補給される。
第２ポンプ部２２は、肥料水供給管１３に水または肥料を送り、肥料水受取管１４から水または肥料を受け取る。水または肥料を循環させる。第２貯蔵部６２から水または肥料は補給される。
なお、第２柵１８ａが傾斜地などの場合で、水が第１ポンプ２１、第２ポンプ２２へ戻らない場合には、別途、第３ポンプを使用し、飲料水受取管１２、肥料水受取管１４、または、第１ポンプ２１、第２ポンプ２２へ戻してもよい。
【００２０】  ２次電池６３は、蓄電池など電気を保存するものである。第１ポンプ部２１、第２ポンプ部２２へ電力を供給する。
第１貯蔵部６１は、水を保存し、第１ポンプ部２１へ水を補給する。
【００２１】  第２貯蔵部６２は、水または肥料を保存し、第２ポンプ部２２へ水または肥料を補給する。
＜接続部＞
第２柵１８ａと供給装置１９とは、第１接続部２５ａで、それぞれの管が接続される。第１ポンプ部２１、第２ポンプ部２２と、第１貯蔵部６１、第２貯蔵部６２とは、それぞれ、第４接続部２５ｄで接続される。第１柵１８ｂは、第２柵１８ａや供給装置１９とは、別途、独立して放牧場５２に設置されているが、第２柵１８ａや供給装置１９と接続してもよい。第２柵１８ａと第１柵１８ｂとは、第２接続部２５ｂ、第１柵１８ｂと第１柵１８ｂとは、第３接続部２５ｃで接続されてもよい。
【００２２】  ＜プロセス＞
（１）水
第１ポンプ部２１から水は、飲料水供給管１１へ流される。水は飲料水供給管１１を流れる途中で、家畜３１に、一部、開口３８から飲まれる。他の水は、循環部４０ａを経て、飲料水受取管１２へ流れ、第１ポンプ部２１へ戻る。水は循環するので、虫の発生など起こりにくい。水は定期的に廃棄される。
【００２３】  第１ポンプ部２１から水がでて戻るまでにフィルター３４を設けるとさらによい。微生物の発生、ゴミを除去できる。
（２）肥料または水
第２ポンプ部２２から水または肥料は、肥料水供給管１３へ流される。水または肥料は肥料水供給管１３を流れる途中で、放出口３９から、外部（放牧場５２）へ放出（噴霧）される。牧草３２へ噴霧される。他の水または肥料は、循環部４０ｂを経て、肥料水受取管１４へ流れ、第２ポンプ部２２へ戻る。ただし、水または肥料を肥料水受取管１４へ流して、第２ポンプへ戻さなくともよい。水または肥料を肥料水受取管１４へ流して、第２ポンプへ戻す時は、均質な肥料、水を牧草３２へ提供できる。
【００２４】  ＜効果＞
実施の形態１の放牧ユニット１０１では、水を循環させ、微生物などが発生しない水を家畜３１に与えるので、家畜３１の食欲を下げずに飼育できる。また、牧草３２にも水または肥料を与え成長させる。結果、家畜３１が牧草３２を食べ、飼育できる。
なお、上記では、第２柵１８ａに飲料水供給管１１、飲料水受取管１２と、があるとした。しかし、第２柵１８ａは、柵でなくともよい。飲料水供給管１１、飲料水受取管１２があればよい。または、飲料水供給管１１、飲料水受取管１２が単独で配置されてもよい。第１柵１８ｂも同様である。以下の実施の形態２も同様である。
つまり、第２柵１８ａ、第１柵１８ｂは、家畜３１を囲む柵でなくともよい。放牧ユニット１０１で家畜３１を囲まなくともよい。
【００２５】（別例１）：温度調整部２３
上記との相違点は、供給装置１９に温度調整部２３（図１）があることである。説明しない事項は、上記と同様である。家畜３１は、夏など気温が高い時には、食欲がない。温度調整部２３で冷水を飲料水供給管１１に流すことで、体温を下げ、食欲を回復させる。温度調整部２３として、コンプレッサー、放熱器、チラー、ヒータなどで水を冷却、温めをしてもよい。
【００２６】  温度調整部２３は、ペルチェ素子などである。冷却、温めができる。夏は、水を冷却し、冬は、水が凍らないように温めるのがよい。
結果、家畜３１の食欲が落ちず、成長が促進される。
【００２７】（別例２）
この例では、放牧地を変更するものである。説明しない事項は、上記と同様である。
図３で、放牧場５２の牧草３２は、家畜３１により食べられ減る。そのため、放牧場５２を、移動させるのがよい。
【００２８】  この場合、供給装置１９は移動させず、供給装置１９の周辺に、第１柵１８ｂを移動させる。
例として、図３の牧草成長場５１へ、放牧場５２を移動させる。放牧ユニット１０１の一部を移動させる。
【００２９】  この場合、第２柵１８ａは、飲料水供給管１１、飲料水受取管１２などがあり、移動に時間、手間を要する。そのため、第２柵１８ａを移動させず、第１柵１８ｂを、隣接する牧草成長場５１へ移動させる。結果、放牧場５２と牧草成長場５１とが入れ替わる。
結果、牧草を成長させつつ、家畜３１の放牧ができる。
【００３０】  なお、一定期間ごとに、供給装置１９の周辺へ、順次、放牧場５２を移動させるとよい。さらに、上記で、第１柵１８ｂを移動させず、常駐させてもよい。つまり、第２柵１８ａ、第１柵１８ｂ、供給装置１９は移動させず、放牧場５２と牧草成長場５１とを入れ替えるのみでもよい。
【００３１】  また、放牧場５２、または、牧草成長場５１を、第２柵１８ａで囲み、水を、放牧場５２、または、牧草成長場５１の全周で循環させてもよい。この場合、飲料水受取管１２は不要となる。
（実施の形態２）：太陽光パネル
実施の形態２では、上記実施の形態１に太陽光パネル７０を加える。説明しない事項は、実施の形態１と同様である。太陽光パネル７０のつくられる電気は、２次電池６３で蓄えられる。この電気は、第１ポンプ部２１、第２ポンプ部２２で使用される。放牧地周辺には、電源がない場合が多く、太陽光パネル７０で電気をつくり、使用することは有効である。
【００３２】  図５〜図７の斜視図で説明する。いずれも、放牧ユニット１０１に太陽光パネル７０を配置し、日陰８１を形成させている。
図５では、第１柵１８ｂの側面に太陽光パネル７０を配置している。第２柵１８ａの側面に太陽光パネルを配置してもよい。
【００３３】  図６では、第２柵１８ａ、供給装置１９、第１柵１８ｂとからなるコーナー部の頂辺に太陽光パネル７０を配置している。この場合、太陽光パネル７０の下部が日陰となる。日陰により家畜３１の休憩によい。
図７では、第１柵１８ｂの頂辺と支柱４６とで太陽光パネル７０を支えている。太陽光パネル７０の下部が日陰となる。第１柵１８ｂの代わりに、第２柵１８ａを用いてもよい。
図８は、牧場１００の平面図である。図９はその断面図である。図８、９では、牧場１００の放牧ユニット１０１の対向する辺の第１柵１８ｂを使用し、太陽光パネル７０を配置している。支え７１で太陽光パネル７０の１辺を支えている。広い面積の日陰８１ができる。
【００３４】（全体として）
上記実施の形態１と２とは組み合わせできる。牧草３２としては、例えば、イタリアンライグラス、オーチャードグラス、トールフェスク、ケンタッキーブルーグラスなどである。雑草でもよい。
【産業上の利用可能性】
【００３５】  本発明の放牧ユニットと牧場と放牧方法は、多くの地域で利用できる。共同組合、農場組合、農業、酪農に関する会社などで使用できる。
【符号の説明】
【００３６】  １１…飲料水供給管、１２…飲料水受取管、１３…肥料水供給管、１４…肥料水受取管、１５…開口管、１８ａ…第２柵、１８ｂ…第１柵、１９…供給装置、２１…第１ポンプ，第１ポンプ部、２２…第２ポンプ，第２ポンプ部、２３…温度調整部、２５ａ…第１接続部、２５ｂ…第２接続部、２５ｃ…第３接続部、２５ｄ…第４接続部、３０…骨組み、３１…家畜、３１ａ…放水口、３２…牧草、３３…蓋、３４…フィルター、３８…開口、３９…放出口、４０…杭、４０ａ，４０ｂ…循環部、４６…支柱、５１…牧草成長場、５２…放牧場、６１…第１貯蔵部、６２…第２貯蔵部、６３…２次電池、７０…太陽光パネル、７０、８１…日陰、７１…支え、１００…牧場、１０１…牧場ユニット。
【図１】
2019180388.tif 000003
【図２】
2019180388.tif 000004
【図３】
2019180388.tif 000005
【図４】
2019180388.tif 000006
【図５】
2019180388.tif 000007
【図６】
2019180388.tif 000008
【図７】
2019180388.tif 000009
【図８】
2019180388.tif 000010
【図９】
2019180388.tif 000011
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
家畜へ水を供給する飲料水供給管と、前記飲料水供給管から前記水を受取る飲料水受取管と、を含む第１柵と、
前記飲料水供給管に前記水を提供し、前記飲料水受取管より前記水を受取る第１ポンプ部を有する供給装置と、を含む放牧ユニット。
【請求項２】
前記飲料水供給管は、前記飲料水受取管より、垂直方向で、上方に位置する請求項１の放牧ユニット。
【請求項３】
2019180388.tif 000012
【請求項４】
前記第１柵に太陽光パネルが配置され、前記家畜が休む日陰を形成する請求項１〜３のいずれか１項に記載の放牧ユニット。
【請求項５】
前記第１柵に、前記飲料水供給管と前記飲料水受取管とは別に、水または肥料を流す肥料水供給管が位置し、前記水または肥料を牧草へ噴霧する請求項１〜４のいずれか１項に記載の放牧ユニット。
【請求項６】
前記飲料水供給管と前記飲料水受取管と前記肥料水供給管とは、水平方向に位置する請求項５に記載の放牧ユニット。
【請求項７】
前記第１柵と前記家畜を閉じ込める第２柵とで囲まれた請求項１〜６のいずれか１項に記載の放牧ユニット。
【請求項８】
請求項７の牧場で、家畜を放牧する放牧方法であり、
前記供給装置の位置を変えず、前記第１柵の位置を変えて、前記牧場の位置を、一定期間ごとに変える放牧方法。
【請求項９】
水を第１ポンプで第１柵に位置する飲料水供給管へ供給する工程と、
家畜が前記飲料水供給管の一部に設けられた開口から前記水を飲む工程と、
前記飲料水供給管より前記第１柵の垂直方向下部に位置する飲料水受取管へ、残りの前記水を前記飲料水受取管で受取る工程と、
前記受取られた水を、前記第１ポンプで前記飲料水供給管へ供給する工程と、を含み、前記水を循環させて、前記家畜へ前記水を供給する放牧方法。
【請求項１０】
水または肥料を第２ポンプで肥料水供給管へ供給する工程と、
前記肥料水供給管から牧草へ、前記水、または、肥料を散布する工程と、を有する請求項９に記載の放牧方法。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
家畜へ水を供給する飲料水供給管と、前記飲料水供給管から前記水を受取る飲料水受取管と、を含む第１柵と、
前記飲料水供給管に前記水を提供し、前記飲料水受取管より前記水を受取る第１ポンプ部を有する供給装置と、を含み、
前記第１柵と前記家畜を閉じ込める第２柵とで囲まれた放牧ユニットがあり、
前記放牧ユニットのコーナ部に前記供給装置が位置し、
前記供給装置の位置と前記第１柵の位置とを変えず、前記第２柵の位置を変えて、前記放牧ユニットの位置を、前記供給装置の周辺に一定期間ごとに変える放牧方法。
【請求項２】
前記第１柵と前記供給装置と前記第２柵とでコーナ部を形成し、その頂辺に太陽光パネルが配置され、前記家畜が休む日陰を形成する請求項１に記載の放牧方法。
【請求項３】
前記飲料水供給管は、前記飲料水受取管より、垂直方向で、上方に位置する請求項１または２に記載の放牧方法。
【請求項４】
前記水の温度を冷却できる温度調整部がある請求項１〜３のいずれか１項に記載の放牧方法。
【請求項５】
前記第１柵に、前記飲料水供給管と前記飲料水受取管とは別に、水または肥料を流す肥料水供給管が位置し、前記水または肥料を牧草へ噴霧する請求項１〜４のいずれか１項に記載の放牧方法。
【請求項６】
請求項１〜５のいずれか１項に記載の放牧方法であり、
水を第１ポンプで第１柵に位置する飲料水供給管へ供給する工程と、
家畜が前記飲料水供給管の一部に設けられた開口から前記水を飲む工程と、
前記飲料水供給管より前記第１柵の垂直方向下部に位置する飲料水受取管へ、前記家畜が飲んだ残りの前記水を前記飲料水受取管で受取る工程と、
前記受取られた水を、前記第１ポンプで前記飲料水供給管へ供給する工程と、を含み、前記水を循環させて、前記家畜へ前記水を供給する放牧方法。
【請求項７】
水または肥料を第２ポンプで肥料水供給管へ供給する工程と、
前記肥料水供給管から牧草へ、前記水、または、肥料を散布する工程と、を有する請求項６に記載の放牧方法。